(57)【要約】【課題】針差込台に注射針が結合すると、針台外周の少なくとも一本の凸縁が針差込台内壁の二本の凸縁間に嵌合され、注射針が外筒内部に引き込まれることにより、製造、使用しやすく、且つ薬液を密封する注射器の引込式安全外筒を提供する。【解決手段】注射針２、外筒１及びプランガー３から構成され、そのうち、注射針２の前端に針体２２が結合し、後端には第一咬合部２１２が設置される。更に注射針底部の外周には少なくとも一本の環状凸縁２１１が成形される。外筒１は中空管体で、前端は針差込台１１が設置されて、そこに注射針２が結合される。この針差込台内壁には二本が並んだ環状凸縁が成形され、外筒後端にはプランガー３が嵌合される。このプランガー前端にはピストン３２が設置され、ピストン前端には第二咬合部３３が設置される注射器の引込式安全外筒。【選択図】　　　　図２
0003097888.tif 000002
【実用新案登録請求の範囲】
【請求項１】
主に注射針、外筒、プランガーから構成された注射器の引込式安全外筒において、
前端に針体が結合し、後端には第一咬合部が設置される注射針と、
中空管体で、その前端には針差込台が成形され、そこに注射針が結合する外筒と、
押桿形態で、前端にはピストンが設置され、外筒の内側に挿入し、前後移動して薬液を吸入もしくは注射するもので、ピストン前端にあり、第一咬合部と結合する第二咬合部は最頂点に押されたとき、第一咬合部と第二咬合部が結合し、引戻した時に注射針が外筒内に引き込まれるプランガーから構成され、
上述の外筒の針差込台内壁には二本の並んだ環状凸縁が成形され、針底部の外周には少なくとも一本の凸縁が成形されるもので、注射針が針差込台内に嵌合された時、上述の注射針底外周に設置された少なくとも一本の凸縁が針差込台内壁の二本の環状凸縁の間に嵌合されることを特徴とする注射器の引込式安全外筒。
【請求項２】
前記注射針は、引込式注射針で、針体と針台を含み、針体は針台前端に固定され、針台はすなわち針底台で、外筒前端は縮小した針差込台が成形されることを特徴とする請求項１記載の注射器の引込式安全外筒。
【請求項３】
前記注射針は、標準規格針体で、針台と針底台を含み、針体は針台上に設置され、針台は針底台上で着脱することを特徴とする請求項１記載の注射器の引込式安全外筒。
【請求項４】
注射針、外筒、プランガーから構成される注射器の引込式安全外筒において、
前端には針体が結合し、後端には第一咬合部が設置される注射針と、
中空管体で、その前端には針差込台が成形され、その中に注射針が結合される外筒と、
押桿形態で、前端にはピストンが設置され、外筒の内側に挿入し、前後移動して薬液を吸入もしくは注射するもので、ピストン前端にあり、第一咬合部と結合する第二咬合部は最頂点に押されたとき、第一咬合部と第二咬合部が結合し、引戻した時に注射針が外筒内に引き込まれるプランガーから構成され、
上述の外筒の針差込台内壁には一本の環状凸縁が成形され、更に環状凸縁の下方には少なくとも一個の凸部が成形されるもので、注射針底外周には少なくとも一本の凸縁が成形され、注射針が針差込台内に嵌合された時、上述の注射針底外周に設置された少なくとも一本の凸縁が針差込台内壁の環状凸縁と少なくとも１個の凸部の間に嵌合されることを特徴とする注射器の引込式安全外筒。
【請求項５】
前記注射針は、引込式注射針で、針体と針台を含み、針体は針台前端に固定し、針台は針底台で、外筒の前端が収縮した針差込台が設置されることを特徴とする請求項４記載の注射器の引込式安全外筒。
【請求項６】
前記注射針は、標準規格の針体で、針台と針底台を含み、針体は針台上に設置され、針台は針底台上に結合して自在に着脱することを特徴とする請求項４記載の注射器の引込式安全外筒。
【考案の詳細な説明】
【０００１】
【考案の属する技術分野】
本考案は、注射器の引込式安全外筒に関するもので、外筒と引込式注射針の結合構造で、製造、使用共に簡易、且つ薬液を密封し、且つ注射完了後は引込式注射針を外筒内に引き込むので、安全に廃棄もしくは処理し、医療用注射器外筒もしくは類似構造に応用する。
【０００２】
【従来の技術】
公知の注射器の引込式安全外筒構造は、主に引込式注射針Ｃ（針台Ｃ１針体Ｃ２を含む）の針台Ｃ１下方に第一咬合部Ｃ１１を設置し、プランガーＢ上端には、第一咬合部Ｃ１１と結合する第二咬合部Ｂ１が設置される。注射が完了すると、外筒Ａ内のプランガーＢが上に向かって押されて最奥端で止まる。この時、第一咬合部Ｃ１１と第二咬合部Ｂ１が結合し、外筒Ａ内壁上端で結合した引込式注射針Ｃが外筒Ａ内部に引き込まれ、廃棄処理しやすくする。
【０００３】
【考案が解決しようとする課題】
しかしながら、この種の注射器の引込式安全外筒は、その注射針Ｃと外筒Ａの結合構造が非常に重要であり、許容誤差の関係で、注射針Ｃが外筒Ａ内で結合し引き込むのが困難であったり、注射針Ｃが外筒前端で緩みすぎ、引込式注射針Ｃの針台Ｃ１上に設置した凸縁Ｃ１２だけで外筒Ａの前端内壁に支えるため、安定が悪かったりする。そのため、上述の問題を改善し、製造、使用しやすく、且つ薬液を密封する注射器の引込式安全外筒を提供することを課題とする。
また、標準注射針及び引込式注射針の安全外筒を提供することを課題とする。
【０００４】
【課題を解決するための手段】
上記課題を解決するため、本考案の注射器の引込式安全外筒は、注射針、外筒及びプランガーから構成され、そのうち、注射針の前端に針体が結合し、後端には第一咬合部が設置される。更に注射針底部外周には少なくとも一つの環状凸縁が成形される。外筒は中空管体で、前端は針差込台が設置されて、そこに注射針が結合される。この針差込台内壁には二本が環状に並んだ凸縁が成形され、外筒後端にはプランガーが嵌合される。このプランガー前端にはピストンが設置され、ピストン前端には第二咬合部が設置される。これによって、針差込台に注射針が結合すると、針台外周の少なくとも一本の凸縁が針差込台内壁の二本の凸縁間に嵌合され、同時にプランガー前端が最奥端まで押されると、第一咬合部と第二咬合部が結合し、プランガーを引戻した時、注射針が外筒内部に引き込まれることを特徴とするものである。
すなわち、本考案の注射器の引込式安全外筒は、以下に述べる特徴を有する。
１．主に注射針、外筒、プランガーから構成された注射器の引込式安全外筒において、
前端に針体が結合し、後端には第一咬合部が設置される注射針と、
中空管体で、その前端には針差込台が成形され、そこに注射針が結合する外筒と、
押桿形態で、前端にはピストンが設置され、外筒の内側に挿入し、前後移動して薬液を吸入もしくは注射するもので、ピストン前端にあり、第一咬合部と結合する第二咬合部は最頂点に押されたとき、第一咬合部と第二咬合部が結合し、引戻した時に注射針が外筒内に引き込まれるプランガーから構成され、
上述の外筒の針差込台内壁には二本の並んだ環状凸縁が成形され、針底部の外周には少なくとも一本の凸縁が成形されるもので、注射針が針差込台内に嵌合された時、上述の注射針底外周に設置された少なくとも一本の凸縁が針差込台内壁の二本の環状凸縁の間に嵌合されることを特徴とする。
２．前記注射針は、引込式注射針で、針体と針台を含み、針体は針台前端に固定され、針台はすなわち針底台で、外筒前端は縮小した針差込台が成形されることを特徴とする。
３．前記注射針は、標準規格針体で、針台と針底台を含み、針体は針台上に設置され、針台は針底台上で着脱することを特徴とする。
４．注射針、外筒、プランガーから構成される注射器の引込式安全外筒において、
前端には針体が結合し、後端には第一咬合部が設置される注射針と、
中空管体で、その前端には針差込台が成形され、その中に注射針が結合される外筒と、
押桿形態で、前端にはピストンが設置され、外筒の内側に挿入し、前後移動して薬液を吸入もしくは注射するもので、ピストン前端にあり、第一咬合部と結合する第二咬合部は最頂点に押されたとき、第一咬合部と第二咬合部が結合し、引戻した時に注射針が外筒内に引き込まれるプランガーから構成され、
上述の外筒の針差込台内壁には一本の環状凸縁が成形され、更に環状凸縁の下方には少なくとも一個の凸部が成形されるもので、注射針底外周には少なくとも一本の凸縁が成形され、注射針が針差込台内に嵌合された時、上述の注射針底外周に設置された少なくとも一本の凸縁が針差込台内壁の環状凸縁と少なくとも１個の凸部の間に嵌合されることを特徴とする。
５．前記注射針は、引込式注射針で、針体と針台を含み、針体は針台前端に固定し、針台は針底台で、外筒の前端が収縮した針差込台が設置されることを特徴とする。
６．前記注射針は、標準規格の針体で、針台と針底台を含み、針体は針台上に設置され、針台は針底台上に結合して自在に着脱することを特徴とする。
【０００５】
【考案の実施の形態】
以下、本考案注射器の引込式安全外筒の実施例を図面に基づいて説明する。
先ず、図２の第一実施例が示すように、本考案は、外筒１、引込式注射針２及びプランガー３から構成され、そのうち、この外筒１は中空管体で、前端口は内側に縮小した針差込台１１が成形される。この針差込台１１内壁面には二つの環状凸縁、即ち上凸縁１１１及び下凸縁１１２が成形される。また図３ａに示すとおり、針差込台１１内壁上に、元から設置されている環状の下凸縁１１２は一個以上の凸部１１３に変更することもでき、この一個以上の凸部１１３は同一水平上に設置される。
引込式注射針２は、針台２１と針体２を含み、針台２１後端には第一咬合部２１２が設置され、且つ針台２１の外径と針差込台１１の内径は相互に対応し、針台２１をその中で結合する。また針台２１中段外壁には少なくとも一本の環状凸縁２１１が設置され、結合及び密封効果をより高める。当実施例中、第一咬合部２１２は凹部を備えた咬合部が成形され、この凹部は一片以上の爪片によって構成される。
プランガー３は、ほとんどが押桿３１で、前端にはピストン３２が設置され、このピストン３２の前端には第二咬合部３３が設置される。当実施例内で、第二咬合部３３は突出した鉤部であり、このプランガー３は外筒１内で前後移動する。
【０００６】
図３及び図４に示すとおり、引込式注射針２を外筒１の針差込台１１内に挿入し、針台２１の凸縁２１１を針差込台１１の上凸縁１１１及び下凸縁１１２（もしくは凸部１１３）の間に掛合すると、引込式注射針２をよりしっかりと針差込台１１に結合する。この引込式安全外筒によって、薬液の吸入及び注射の過程で、密封状態を保ち、注射が完了すると、このプランガー３前端が最奥端まで押され、ピストン３２前端の第二咬合部３３と針台２１の第一咬合部２１２が相互に噛み合う。即ち、突出した鉤部が爪片の末端で掛合する。この時、プランガー３を後に引いて、引込式注射針２の針体２２を外筒１内に引き込む。
【０００７】
図５及び図６に示すのは、本考案の第三実施例で、外筒１、標準注射針４及びプランガー３から構成される。この外筒１は中空管体で、前端には針差込台１１が設置される。この針差込台１１の内管壁面上には二本の環状凸縁、即ち上凸縁１１１及び下凸縁１１２（この下凸縁１１２は一個以上の凸部に換えてもよい。この一個以上の凸部は同一水平上に設置される）が設置される。
図６に示すとおり、この標準注射針４は、針台４１、針体４２及び針底台４３から構成される。針体４２は針台４１前端に設置され、針台４１は、針底台４３上で着脱する。この針底台４３は環状外郭４３１及び中空内管４３３を備え、この環状外郭４３１の内壁面にはネジ紋４３２が成形され、針台４１を回転して結合する。環状外郭４３１の表面には少なくとも一本以上の環状凸縁４３４が成形され、この中空内管４３３後端には第一咬合部４３５が設置される。この実施例中、針台４１と針底台４３は回転によって結合されるが、他に針台４１と注射針を嵌合による結合でもよい。
標準注射針４を外筒１前端の針差込台１１に挿入し、針底台４３の凸縁４３４を針差込台１１の上凸縁１１１及び下凸縁１１２の間に嵌合すると、注射外筒の薬液吸入及び注射過程で、密封状態を保ち、注射が完了すると、プランガー３前端が最奥端に押され、ピストン３２前端の第二咬合部３３が針底台４３の第一咬合部４３５に相互に結合する。そしてプランガー３を後に引くと、標準注射針４が外筒１内に引き込まれる。
【０００８】
以上の図及び説明は本考案の実施例の一つを示したもので、例として引込式注射針２の針台２１における第一咬合部２１２、及び標準注射針四の針底台４３における第一咬合部４３５には凹部がある。またプランガー３の第二咬合部３３には鉤部がある。しかし、実施時、接続方法はその他形状及び構造でもよく、同じく確かな咬合が得られればよい。当然、引込式注射針２の針台２１及び針底台４３の第一咬合部２１２、４３５には鉤部があり、プランガー３の第二咬合部３３には凹部が設置され、同様に咬合による結合が得られる。このため、本考案からの局部修正もしくは変化に関し、すべて本考案の範囲と見做す。
【０００９】
【考案の効果】
以上説明したように、本考案の注射器の引込式安全外筒は、注射針、外筒及びプランガーから構成され、そのうち、注射針の前端に針体が結合し、後端には第一咬合部が設置される。更に注射針底部の外周には少なくとも一本の環状凸縁が成形される。外筒は中空管体で、前端は針差込台が設置されて、そこに注射針が結合される。この針差込台内壁には二本が並んだ環状凸縁が成形され、外筒後端にはプランガーが嵌合される。このプランガー前端にはピストンが設置され、ピストン前端には第二咬合部が設置される。これによって、針差込台に注射針が結合すると、針台外周の少なくとも一本の凸縁が針差込台内壁の二本の凸縁間に嵌合され、同時にプランガー前端が最奥端まで押されると、第一咬合部と第二咬合部が結合し、プランガーを引戻した時、注射針が外筒内部に引き込まれるという特徴をもつ。それにより、下述に効果がある。
針差込台内壁の両環状凸縁、即ち上凸縁、下凸縁（もしくは一個以上の凸部）によって、引込式針台上の凸縁に掛合し、製造時に発生する許容誤差の問題を克服し、部品を更に製造しやすくする。
また、部品を組み立てるときに生じる許容誤差を克服することによって、製造上より簡単になるだけでなく、使用時にも使いやすくなる。
さらに薬液を吸入、注射する時、液を密封する。
【図面の簡単な説明】
【図１】公知の引込式安全注射装置の部品分解図である。
【図２】本考案の第一実施例部品分解図である。
【図３】本考案の第一実施例部品組立図である。
【図４】本考案の第二実施例の外筒上端部分断面図である。
【図５】本考案の第三実施例の組立断面図である。
【図６】図５の局部拡大図である。
【符号の説明】
Ａ　外筒
Ｂ　プランガー
Ｂ１　第二咬合部
Ｃ　引込式注射針
Ｃ１　針台
Ｃ２　針体
Ｃ１１　第一咬合部
Ｃ１２　凸縁
１　外筒
１１　針差込台
１１１　上凸縁
１１２　下凸縁
１１３　凸部
２　引込式注射針
２１　針台
２２　針体
２１１　凸縁
２１２　第一咬合部
３　プランガー
３１　押桿
３２　ピストン
３３　第二咬合部
４　標準注射針
４１　針台
４２　針体
４３　針底台
４３１　環状外郭
４３２　ネジ紋
４３３　内管
４３４　凸縁
４３５　第一咬合部
【図１】
0003097888.tif 000003
【図２】
0003097888.tif 000004
【図３】
0003097888.tif 000005
【図４】
0003097888.tif 000006
【図５】
0003097888.tif 000007
【図６】
0003097888.tif 000008